(57)【要約】【課題】食器洗浄機での湯水の使用に起因した他の給水対象部への湯水の供給量の減少を抑制することができる食器洗浄システムを提供する。【解決手段】給湯器１の制御部１４は、第２給湯路８に設けられた水量センサ８ａにより検出されたシャワー４での湯量が所定閾値以上であるか否かを判定する。シャワー４での湯量が所定閾値以上である場合（ＳＴＥＰ６で「ＹＥＳ」）、制御部１４は、給湯器１からリモコン２を介して食器洗浄機３に洗浄一時停止信号を送信し、食器洗浄機３は、洗浄一時停止信号を受けて、洗浄工程を一時停止する（ＳＴＥＰ７）。【選択図】  図２
2020115973.tif 000002
【特許請求の範囲】
【請求項１】
食器を洗浄する食器洗浄機と、前記食器洗浄機を含む複数の給水対象部へ湯水を供給可能で、前記食器洗浄機と通信可能な給湯装置とを備える食器洗浄システムであって、
前記食器洗浄機以外の他の給水対象部への湯水の供給量が所定閾値以上の状態で、前記食器洗浄機に湯水を供給する要求があった場合には、前記食器洗浄機への湯水の供給量を制限する抑制制御を行い、前記他の給水対象部への湯水の供給量が所定閾値より少ない状態で、前記食器洗浄機に湯水を供給する要求があった場合には、前記抑制制御を行わないように制御する制御部を備えることを特徴とする食器洗浄システム。
【請求項２】
請求項１に記載の食器洗浄システムにおいて、
前記給湯装置は、前記給湯装置から所定の流量の湯水が供給された場合に作動する燃焼機器を備え、
前記所定閾値は、前記所定の流量であることを特徴とする食器洗浄システム。
【発明の詳細な説明】
【技術分野】
【０００１】
本発明は、食器洗浄機と給湯装置とを備える食器洗浄システムに関する。
【背景技術】
【０００２】
従来、システムキッチン等に設置される食器洗浄機と、給湯装置とを通信可能に接続したものが知られている（例えば、特許文献１参照）。
【０００３】
特許文献１に記載された食器洗浄システムでは、給湯装置は、食器洗浄機を含む複数の給水対象部に湯水を供給可能となっており、給湯装置が食器洗浄機以外の他の給水対象部に湯水を供給している場合には、食器洗浄機の設定温度と給湯設定温度とが略同一のときのみ、食器洗浄機への湯水の供給を許可することで、他の給水対象部での湯水の温度が変更されてしまうのを防止している。
【先行技術文献】
【特許文献】
【０００４】
【特許文献１】特開平１０−３１１５９９号公報
【発明の概要】
【発明が解決しようとする課題】
【０００５】
しかしながら、特許文献１の食器洗浄システムでは、給湯装置が食器洗浄機以外の他の給水対象部に湯水を供給している場合でも、食器洗浄機の設定温度と給湯設定温度とが略同一のときには、食器洗浄機にも給湯装置から湯水が供給されるため、食器洗浄機での湯水の使用に起因した他の給水対象部への湯水の供給量の減少が大きく、使用者が不満を抱くことがあった。
【０００６】
本発明はかかる背景に鑑みてなされたものであり、食器洗浄機での湯水の使用に起因した他の給水対象部への湯水の供給量の減少を抑制することができる食器洗浄システムを提供することを目的とする。
【課題を解決するための手段】
【０００７】
本発明の食器洗浄システムは、食器を洗浄する食器洗浄機と、前記食器洗浄機を含む複数の給水対象部へ湯水を供給可能で、前記食器洗浄機と通信可能な給湯装置とを備える食器洗浄システムであって、前記食器洗浄機以外の他の給水対象部への湯水の供給量が所定閾値以上の状態で、前記食器洗浄機に湯水を供給する要求があった場合には、前記食器洗浄機への湯水の供給量を制限する抑制制御を行い、前記他の給水対象部への湯水の供給量が前記所定閾値より少ない状態で、前記食器洗浄機に湯水を供給する要求があった場合には、前記抑制制御を行わないように制御する制御部を備えることを特徴とする。
【０００８】
本発明によれば、他の給水対象部への湯水の供給量が所定閾値以上である場合には、上記抑制制御を行うので、食器洗浄機での湯水の使用に起因した他の給水対象部への湯水の供給量の減少を抑制することができる。また、他の給水対象部への湯水の供給量が所定閾値より少ない場合には、上記抑制制御を行わないので、食器洗浄機に規定の湯水を供給することができる。
【０００９】
また、前記給湯装置は、前記給湯装置から所定の流量の湯水が供給された場合に作動する燃焼機器を備え、前記所定閾値は、前記所定の流量であることが好ましい。
【００１０】
使用者が他の給水対象部で少量の湯を使いたい場合がある。しかし、流量が少ないと、燃焼機器が作動せずに水が供給されることや、点火及び消火を繰り返して指定温度の湯が供給されないことがある。
【００１１】
上記構成によれば、他の給水対象部で、燃焼機器が作動する所定の流量未満の水が使われている状態では、食器洗浄機に湯水を供給する要求があった場合に、食器洗浄機に対する上記抑制制御を行わない。また、食器洗浄機に湯水を供給する場合には、燃焼機器が作動する所定の流量以上の水が供給される。したがって、食器洗浄機を作動させることにより、燃焼機器は作動されて、給湯装置から他の給水対象部及び食器洗浄機に湯が供給される。これにより、他の給水対象部で少量の指定温度の湯を使えるようにすることができる。
【図面の簡単な説明】
【００１２】
【図１】本発明の一実施形態の食器洗浄システムを示す説明図。
【図２】食器洗浄システムの作動を示すフローチャート。
【発明を実施するための形態】
【００１３】
本発明の食器洗浄システムの一実施形態について、図１及び図２を参照して説明する。
【００１４】
図１に示すように、食器洗浄システムＡは、給湯器１、給湯器１の遠隔操作手段であるリモコン２、台所に設置された食器洗浄機３（給水対象部）、風呂や流し台等の給湯場所５に設置されたカランやシャワー等の出湯栓（本実施形態では、シャワー４）を備える。
【００１５】
また、始端部が給湯器１に接続された主給湯路６は、食器洗浄機３に接続する第１給湯路７と、シャワー４（給水対象部）に接続する第２給湯路８とに分岐する。第２給湯路８には、第２給湯路８に流れる湯量（シャワー４での使用流量）を検出する水量センサ８ａが設けられている。この水量センサ８ａは、詳しくは後述する給湯器１の制御部１４に接続されている。
【００１６】
給湯器１は、食器洗浄機３やシャワー４が使用されて、主給湯路６に水流が生じ、主給湯路６に設けられた水流センサ６ａにより所定の流量が検出された場合に、水を所望の温度に加熱して給湯を開始する加熱装置９（燃焼機器）を備えて、所謂先止め式の給湯が行われる。なお、水流センサ６ａを、給湯器１の内部に設けてもよい。
【００１７】
加熱装置９は、ガス管１０から供給されるガスを燃焼させるガスバーナ１１と、ガスバーナ１１の燃焼により、給水管１２から供給される水を加熱する熱交換器１３とを備えている。加熱装置９は、給湯器１を統括的に制御する制御部１４によって制御される。制御部１４は、リモコン２に備える温度設定手段１５の操作によって設定された給湯温度（３５℃〜８０℃）に基づいて加熱装置９を制御する。リモコン２は、温度設定手段１５の操作によって設定される設定内容が表示される表示手段１６を備えている。なお、制御部１４は、給湯器１の電源がオフの場合でも作動可能である。
【００１８】
給湯器１は、リモコン２との間で各種情報の通信を行う通信手段１７を備えている。また、後述するように食器洗浄機３もリモコン２との間で各種情報の通信を行う通信手段１８を備えている。また、リモコン２は、水が流れたときに加熱装置９を作動可能とする状態をオンとし、給湯が不要な場合に加熱装置９の動作を不能とする状態をオフとして切り換え自在の運転スイッチ１９を備えている。
【００１９】
更に、リモコン２は、設定温度変更手段２０と、給湯運転監視手段２１と、洗浄運転指示手段２２とを備えている。これらの詳しい作動は後述するが、設定温度変更手段２０は、温度設定手段１５によって設定された設定温度を食器洗浄に適した温度（例えば、６０℃）に変更するものである。給湯運転監視手段２１は、給湯器本体が給湯運転中であるか否かを監視するものである。洗浄運転指示手段２２は、食器洗浄機３に洗浄運転の開始を指示するものである。
【００２０】
食器洗浄機３は、洗浄する食器類Ｗを収容し且つ洗浄を行う食器類収容室２３を備えている。食器類収容室２３は、第１給湯路７に接続された給湯管２４から湯が供給される。給湯管２４には開閉自在の給水弁２５が設けられている。詳しくは後述するように、食器洗浄機３を作動させて洗浄及び濯ぎを行う場合、給水弁２５の開弁及び閉弁が行われる。
【００２１】
また、食器類収容室２３の下部には、給湯管２４を介して供給された湯を一時的に貯留しておく貯留槽２６が設けられている。該貯留槽２６には、該貯留槽２６に貯留された湯の温度が洗剤の活性温度より低い場合に湯を再加熱し保温するヒータ２７が設けられている。貯留槽２６に貯留された湯は、図示しない洗剤投入手段によって洗剤が投入されて洗浄液とされる。また、食器洗浄機３には、乾燥ファン（図示せず）が設けられており、ヒータ２７を作動させた状態で乾燥ファンを回転作動することにより、温風を食器類収容室２３内に送出して食器類Ｗを乾燥させる。
【００２２】
貯留槽２６の下部には、残菜フィルタ２８を介して濾過された洗浄液を、食器類収容室２３に配設された散水チューブ２９に送り出す洗浄ポンプ３０が接続されている。散水チューブ２９は、洗浄液を食器類Ｗに向かって噴射する複数の噴射ノズル（図示せず）を備えている。更に、貯留槽２６の下部には、排水手段である排水ポンプ３１及び排水管３２が接続されている。なお、図示しないが、排水管３２には、その上端が貯留槽２６の上端より上方となるトラップが形成されている。
【００２３】
食器洗浄機３は、使用者が操作することによって食器類Ｗの洗浄を指示する運転スイッチ３３と、洗浄運転指示手段２２及び運転スイッチ３３によって運転が指示されたときに、給水・洗浄・排水・乾燥といった複数工程の洗浄運転を制御する洗浄運転制御部３４とを備えている。また、食器洗浄機３は、洗浄運転待機中であること等を表示或いは音声によって報知する報知手段３８を備えている。
【００２４】
次に、本実施形態の作動を、図２に示すフローチャートを用いて説明する。
【００２５】
図２に示すように、使用者は、ＳＴＥＰ１において運転スイッチ３３（図１参照）を操作（食器洗浄機３に湯水を供給する要求）して食器洗浄機３を運転させる。
【００２６】
食器洗浄機３は、運転を開始すると、先ず、排水を行い（ＳＴＥＰ２）、排水が完了した後、給水を含む洗浄工程を開始する（ＳＴＥＰ３）。排水工程では、洗浄運転制御部３４は、排水ポンプ３１を動作させ、貯留槽２６に貯留された水を、排水管３２を介して排水させる。なお、この時点では、食器洗浄機３での給水は開始されない。
【００２７】
食器洗浄システムＡでは、食器洗浄機３で洗浄工程が開始されると、食器洗浄機３の通信手段１８から、リモコン２に洗浄工程開始信号が送信され、リモコン２は、給湯器１の通信手段１７に洗浄工程開始信号を送信する。
【００２８】
給湯器１で洗浄工程開始信号を受信すると、給湯器１の制御部１４は、給湯器１の電源がオンであるか否かを判定する（ＳＴＥＰ４）。給湯器１の電源がオンである場合（ＳＴＥＰ４で「ＹＥＳ」）、ＳＴＥＰ６に進み、給湯器１の電源がオンでない場合（ＳＴＥＰ４で「ＮＯ」）、給湯器１の制御部１４が給湯器１の電源をオンした（ＳＴＥＰ５）後、ＳＴＥＰ６に進む。
【００２９】
ＳＴＥＰ６で、給湯器１の制御部１４は、第２給湯路８に設けられた水量センサ８ａにより検出されたシャワー４への湯水の供給量（以下、シャワー４での湯量と称する）が所定閾値以上であるか否かを判定する。本実施形態では、所定閾値は、加熱装置９を作動させて水を所望の温度に加熱する水量（所定の流量）と同じ値に設定されているが、所定閾値は適宜変更可能であり、使用者により設定可能にしてもよい。
【００３０】
シャワー４での湯量が所定閾値以上である場合（ＳＴＥＰ６で「ＹＥＳ」）、制御部１４は、給湯器１からリモコン２を介して食器洗浄機３に洗浄一時停止信号を送信し、食器洗浄機３の洗浄運転制御部３４は、洗浄一時停止信号を受けて、洗浄工程を一時停止（抑制制御）する（ＳＴＥＰ７）。そして、再びＳＴＥＰ６を行う。
【００３１】
一方、シャワー４での湯量が所定閾値以上ではない（所定閾値未満である）場合（ＳＴＥＰ６で「ＮＯ」）、制御部１４は、給湯器１からリモコン２を介して食器洗浄機３に給水許可信号を送信し、食器洗浄機３の洗浄運転制御部３４は、給水許可信号を受けて給水を行い、洗浄を行う（ＳＴＥＰ８）。
【００３２】
洗浄工程は、洗浄運転制御部３４の作動によって行われ、詳しくは、先ず食器類Ｗのおおまかな汚れを洗い落とす予備洗浄動作を行い、次いで本洗浄動作を行う。即ち、予備洗浄動作においては、給水弁２５を開弁して貯留槽２６に所定量の湯を貯留し、湯が貯留槽２６に所定量貯留されたとき、給水弁２５を閉弁する。そして、洗浄ポンプ３０を動作させて噴射ノズルを介して食器類Ｗに向かって貯留槽２６の湯を噴射し、排水ポンプ３１を動作させて食器類Ｗの汚れと共に落下した湯を排出する。
【００３３】
本洗浄動作においては、給水弁２５を開弁して貯留槽２６に湯を貯留し、湯が貯留槽２６に所定量貯留されたとき、洗剤を投入し、給水弁２５を閉弁する。続いて、洗浄ポンプ３０を動作させて食器類Ｗに貯留槽２６の湯（洗浄液）を噴射する。このとき、食器類Ｗの汚れと共に落下した洗浄液は、再び貯留槽２６及び残菜フィルタ２８を通過して洗浄ポンプ３０により食器類Ｗに向かって噴射される。このような洗浄動作を所定時間行った後に、洗浄運転制御部３４は、洗浄ポンプ３０の動作を停止させ、排水ポンプ３１を動作させる。これにより、食器類Ｗの汚れと共に落下した洗浄液は、排水管３２を介して排水される。
【００３４】
そして、食器洗浄機３の洗浄運転制御部３４は、洗浄が終了する（ＳＴＥＰ９）と、濯ぎ工程を開始し（ＳＴＥＰ１０）、リモコン２を介して給湯器１に濯ぎ工程開始信号を送信する。なお、この時点では、食器洗浄機３での給水は開始されない。
【００３５】
給湯器１で濯ぎ工程開始信号を受信すると、給湯器１の制御部１４は、給湯器１の電源がオンであるか否かを判定する（ＳＴＥＰ１１）。以下、ＳＴＥＰ１１〜ＳＴＥＰ１３は、上記ＳＴＥＰ４〜ＳＴＥＰ６と同様の工程であるため、その説明を簡略化する。
【００３６】
シャワー４での湯量が所定閾値以上である場合（ＳＴＥＰ１３で「ＹＥＳ」）、制御部１４は、給湯器１からリモコン２を介して食器洗浄機３に濯ぎ一時停止信号を送信し、食器洗浄機３の洗浄運転制御部３４は、濯ぎ一時停止信号を受けて、濯ぎ工程を一時停止（抑制制御）する（ＳＴＥＰ１４）。そして、再びＳＴＥＰ１３を行う。
【００３７】
一方、シャワー４での湯量が所定閾値以上ではない（所定閾値未満である）場合（ＳＴＥＰ１３で「ＮＯ」）、制御部１４は、給湯器１からリモコン２を介して食器洗浄機３に給水許可信号を送信し、食器洗浄機３の洗浄運転制御部３４は、給水許可信号を受けて給水を行い、濯ぎを行う（ＳＴＥＰ１５）。濯ぎ工程では、洗剤を投入せずに前記洗浄工程と同様の処理を繰り返すことで食器に湯水を噴きつけて濯ぎを行う。
【００３８】
そして、食器洗浄機３の洗浄運転制御部３４は、濯ぎが終了する（ＳＴＥＰ１６）と、リモコン２を介して給湯器１に濯ぎ終了信号を送信する。
【００３９】
給湯器１で濯ぎ終了信号を受信すると、給湯器１の制御部１４は、給湯器１の電源がオンであるか否かを判定する（ＳＴＥＰ１７）。給湯器１の電源がオンである場合（ＳＴＥＰ１７で「ＹＥＳ」）、制御部１４は、食器洗浄機３以外（シャワー４）で給湯器１を使用しているか否かを検出する（ＳＴＥＰ１８）。この検出は、第２給湯路８に設けられた水量センサ８ａにより検出された湯量に応じて行われる。
【００４０】
制御部１４は、食器洗浄機３以外で給湯器１を使用していない場合（ＳＴＥＰ１８で「ＮＯ」）、給湯器１の電源をオフした（ＳＴＥＰ１９）後、リモコン２を介して乾燥開始信号を食器洗浄機３に送信する。
【００４１】
また、給湯器１の電源がオンでない場合（ＳＴＥＰ１７で「ＮＯ」）、及び、食器洗浄機３以外で給湯器１を使用している場合（ＳＴＥＰ１８で「ＹＥＳ）、リモコン２を介して乾燥開始信号を食器洗浄機３に送信する。
【００４２】
食器洗浄機３の洗浄運転制御部３４は、乾燥開始信号を受信すると、乾燥を行う（ＳＴＥＰ２０）。乾燥工程では、食器洗浄機３のヒータ２７を作動させた状態で乾燥ファンを回転作動することにより、温風を食器類収容室２３内に送出して食器類Ｗを乾燥させる。
【００４３】
本実施形態では、シャワー４での湯量が所定閾値以上である場合（ＳＴＥＰ６，１３で「ＹＥＳ」）、食器洗浄機３は、洗浄工程及び濯ぎ工程を一時停止する（ＳＴＥＰ７，１４）ので、食器洗浄機３での給水作動により、シャワー４での湯量が減少することを防止することができる。これにより、シャワー４での湯量が減少して、使用者が不満を抱くことを防止することができる。
【００４４】
また、シャワー４での湯量が所定閾値以上ではない場合（ＳＴＥＰ６，１３で「ＮＯ」）には、食器洗浄機３は、洗浄工程及び濯ぎ工程を行うことができる。これにより、例えば、シャワー４で少量の水（加熱装置９を作動させる値未満）を使用している場合等には、食器洗浄機３を作動させることができる。
【００４５】
食器洗浄システムＡにおいて、使用者がシャワー４で少量の湯を使いたい場合がある。しかし、シャワー４での流量が少ない場合、加熱装置９が作動せずに水が供給されることや、点火及び消火を繰り返して指定温度の湯が供給されないことがある。
【００４６】
本実施形態では、上記所定閾値を、加熱装置９が作動する値（所定の流量）としている。この構成により、シャワー４で、加熱装置９が作動する所定の流量未満の水が使われている状態では、食器洗浄機３に湯水を供給する要求があった場合に、食器洗浄機３に対する抑制制御（洗浄工程及び濯ぎ工程の一時停止）を行わない。また、本実施形態では、食器洗浄機３に湯水を供給する場合には、加熱装置９が作動する所定の流量以上の湯水が供給される。したがって、食器洗浄機３を作動させることにより、加熱装置９は作動されて、給湯器１からシャワー４及び食器洗浄機３に指定温度の湯が供給される。これにより、シャワー４で少量の指定温度の湯を使えるようにすることができる。
【００４７】
なお、上記実施形態では、給湯器１から給水対象部としての食器洗浄機３及びシャワー４に湯水を供給しているが、給湯器１から湯水を供給する給水対象部は限定されず、例えば、出湯カランであったり、温水洗浄便座等でもよい。
【００４８】
また、上記実施形態では、シャワー４での湯量が所定閾値以上である場合（ＳＴＥＰ６，１３で「ＹＥＳ」）、食器洗浄機３は、洗浄工程及び濯ぎ工程を一時停止している（ＳＴＥＰ７，１４）が、少なくとも食器洗浄機３への湯水の供給量を制限して抑制すればよく、洗浄工程及び濯ぎ工程の一時停止に代えて、通常よりも少ない所定の水量以下で洗浄工程及び濯ぎ工程を行うようにしてもよい。この場合、洗浄工程及び濯ぎ工程を、一時停止させることなく行うことができ、食器洗浄に要する時間を短縮することができる。
【００４９】
上記実施形態では、ＳＴＥＰ９，１６を、洗浄又は濯ぎが終了する工程としているが、ＳＴＥＰ９，１６を、洗浄又は濯ぎが終了したか否かを判定する工程とし、洗浄又は濯ぎが終了した場合には、ＳＴＥＰ１０，１７に進み、洗浄又は濯ぎが終了していない場合には、再びＳＴＥＰ６，１３を行うようにしてもよい。この場合には、食器洗浄機３の使用中にシャワー４の使用を開始した場合でも、シャワー４での湯量が少ない状態になることを防止することができる。
【００５０】
上記実施形態では、ＳＴＥＰ１７〜２０を行っているが、ＳＴＥＰ１７〜２０は行わないようにしてもよい。
【００５１】
また、上記実施形態では、リモコン２を介して、給湯器１と食器洗浄機３とを通信可能に接続しているが、給湯器１と食器洗浄機３とを直接、通信可能に接続してもよい。
【００５２】
上記実施形態では、水量センサ８ａを第２給湯路８に設けているが、水量センサ８ａを、食器洗浄機３の内部や、給湯管２４に設けるようにしてもよい。この場合には、水量センサ８ａにより食器洗浄機３での湯量を検出し、この検出湯量と、水流センサ６ａで検出された給湯器１からの供給湯量との差から、シャワー４で使用している湯量を推定することができる。
【００５３】
上記実施形態では、ガスを用いた燃焼機器としての加熱装置９を有する給湯器１として説明しているが、電気を用いた給湯器でも本発明は実施可能である。
【符号の説明】
【００５４】
１…給湯器（給湯装置）、３…食器洗浄機（給水対象部）、４…シャワー（給水対象部）、８ａ…水量センサ、９…加熱装置（燃焼機器）、３４…洗浄運転制御部（制御部）、Ａ…食器洗浄システム
【図１】
2020115973.tif 000003
【図２】
2020115973.tif 000004